(57)【要約】【課題】複雑な駆動伝達機構を必要としない低コストの高濃度洗剤液生成・供給手段を備えた洗濯機ないし洗濯乾燥機を提供すること。【解決手段】洗濯脱水槽と、この洗濯脱水槽内の洗濯物に高濃度洗剤液を降りかける高濃度洗剤液生成・供給手段を備え、前記高濃度洗剤液生成・供給手段は、洗剤溶解容器と、前記洗剤溶解容器の底部に設けた洗剤撹拌翼と、前記洗剤撹拌翼を駆動する撹拌電動機と、前記洗剤溶解容器に給水する給水電磁弁を備える洗濯機において、洗剤溶解容器の底から内方に隆起する円筒状の電動機保持筒を設け、この電動機保持筒の内側に前記撹拌電動機を縦に置き、前記電動機保持筒の天井を貫通して前記洗剤溶解容器内に突き出す前記撹拌電動機の回転軸に前記洗剤撹拌翼を支持したことを特徴とする洗濯機。【選択図】  図３
2005261714.tif 000002
【特許請求の範囲】
【請求項１】
洗濯脱水槽と、この洗濯脱水槽内の洗濯物に高濃度洗剤液を降りかける高濃度洗剤液生成・供給手段を備え、前記高濃度洗剤液生成・供給手段は、洗剤溶解容器と、前記洗剤溶解容器の底部に設けた洗剤撹拌翼と、前記洗剤撹拌翼を駆動する撹拌電動機と、前記洗剤溶解容器に給水する給水電磁弁を備える洗濯機において、
洗剤溶解容器の底から内方に隆起する円筒状の電動機保持筒を設け、この電動機保持筒の内側に前記撹拌電動機を縦に置き、前記電動機保持筒の天井を貫通して前記洗剤溶解容器内に突き出す前記撹拌電動機の回転軸に前記洗剤撹拌翼を支持したことを特徴とする洗濯機。
【請求項２】
請求項１記載の洗濯機において、
前記洗剤撹拌翼は、前記電動機保持筒の外周を被う撹拌翼円筒部および撹拌翼天井部を有し、かつ撹拌翼天井部に支持ボスを設け、前記回転軸を支持する支持ボスを設けたことを特徴とする洗濯機。
【請求項３】
請求項２記載の洗濯機において、
前記撹拌翼円筒部の下端側に外周方向に突出する鍔部を設けたことを特徴とする洗濯機。
【請求項４】
請求項３記載の洗濯機において、
前記撹拌翼円筒部の外周面および前記鍔部の上面に撹拌リブを設けたことを特徴とする洗濯機。
【請求項５】
請求項１記載の洗濯機において、
前記電動機保持筒の天井が、高濃度洗剤液の最高液面位よりも高くしたことを特徴とする洗濯機。
【請求項６】
請求項１記載の洗濯機において、
前記電動機保持筒の天井に前記回転軸とほぼ同心的な円形の凹部を設け、
前記回転軸に摺接するシール部材を前記凹部の内側に嵌め、
前記シール部材の上側には、前記凹部に溜まるグリースが存在することを特徴とする洗濯機。
【請求項７】
請求項１記載の洗濯機において、
前記電動機保持筒の天井に前記回転軸とほぼ同心的な円形の凹部を設け、
前記回転軸に摺接するシール部材を前記凹部の内側に嵌め、
前記電動機保持筒の天井には、上側に立ち上がる円筒の潤滑油溜めを前記凹部とほぼ同心的に形成し、
前記シール部材の上側に施すグリースが前記潤滑油溜めに溜まることを特徴とする洗濯機。
【請求項８】
請求項１から７の何れか一つに記載された洗濯機にあって、
前記洗剤溶解容器は、生成した高濃度洗剤液を流出するサイホン機構を有することを特徴とする洗濯機。
【請求項９】
請求項１から８の何れか一つに記載された洗濯機に乾燥機能を備えたことを特徴とする洗濯乾燥機。
【発明の詳細な説明】
【技術分野】
【０００１】
本発明は、高濃度洗剤液生成・供給手段を備えた洗濯機ないし洗濯乾燥機に関する。
【背景技術】
【０００２】
従来の洗濯機は、例えば、特開２００３−１０５９５号公報（特許文献１）に示される。
【０００３】
特許文献１に示される従来の洗濯機は、洗剤溶解容器の底部に設けた洗剤撹拌翼を駆動する撹拌電動機が洗剤溶解容器に隣接して置かれ、伝達ベルトを介して撹拌電動機の回転を洗剤撹拌翼に伝える構成を有する。
【０００４】
【特許文献１】特開２００３−１０５９５号公報
【発明の開示】
【発明が解決しようとする課題】
【０００５】
従来の洗濯機は、洗剤溶解容器は伝達ベルトを介して撹拌電動機の回転を洗剤撹拌翼に伝えるため、伝達ベルト、プーリを含む複雑な駆動伝達機構を設ける必要があった。このため部品点数が多くコストが高くなり、また伝達ベルト、プーリを含む複雑な駆動伝達機構があると、その分、配置するところのスペースを大きく確保しなければならない。さらに、伝達ベルト、プーリを有する駆動伝達機構は騒音が発生するので、騒音の原因にもなる。
【０００６】
本発明は、上記の問題に鑑み、複雑な駆動伝達機構を必要としない部品点数が少なくコストが低い高濃度洗剤液生成・供給手段を備えた洗濯機ないし洗濯乾燥機を提供することを目的とする。
【課題を解決するための手段】
【０００７】
本発明は、洗剤溶解容器の底部に設けた洗剤撹拌翼と、洗剤撹拌翼を駆動する撹拌電動機を備える洗濯機において、洗剤溶解容器の底から内方に隆起する円筒状の電動機保持筒を設け、この電動機保持筒の内側に撹拌電動機を縦に置き、電動機保持筒の天井を貫通して洗剤溶解容器内に突き出す撹拌電動機の回転軸に洗剤撹拌翼を支持したことを特徴とする。
【発明の効果】
【０００８】
本発明によれば、撹拌電動機の回転軸に洗剤撹拌翼を支持したので、複雑な駆動伝達機構が不要になった。これにより、高濃度洗剤液生成・供給手段の騒音を低減できた。また複雑な駆動伝達機構がなくなったので部品点数が低減でき、コストも低くくなり、且つ高濃度洗剤液生成・供給手段の全体の大きさがコンパクトになった。高濃度洗剤液生成・供給手段がコンパクトになったので、配置スペースが小さくて済み、配置がし易くなった。
【発明を実施するための最良の形態】
【０００９】
本発明の実施形態に係わる実施例について、図１〜図８に沿って説明する。
【００１０】
まず、図１を引用して洗濯機のトップカバーに備わる高濃度洗剤液生成・供給手段を含む各種の部品に関して説明する。図１はトップカバーの上蓋を外した状態を示している。
【００１１】
トップカバー１の後側中央には、高濃度洗剤液生成・供給手段２が備わる。高濃度洗剤液生成・供給手段２の右側には、給水電磁弁３、および補助の給水電磁弁４が備わる。給水電磁弁３と補助の給水電磁弁４の流入側には水道接続口５が設けられる。高濃度洗剤液生成・供給手段２の左側には、風呂水吸水ポンプ６が備わる。トップカバー１には、高濃度洗剤液生成・供給手段２の下方に注水口が設けられる。この注水口から水道水、風呂水、高濃度洗剤液生成・供給手段２で作られた高濃度洗剤液、仕上げ剤等が洗濯脱水槽７に注がれる。
【００１２】
図２、図３、図６を加えて高濃度洗剤液生成・供給手段について詳しく説明する。
【００１３】
前記高濃度洗剤液生成・供給手段の洗剤溶解容器２０は、内側の底部に洗剤撹拌翼２１を備える。この洗剤撹拌翼２１を駆動する撹拌電動機２２は、洗剤溶解容器２０の下側に設けられる。洗剤溶解容器２０は合成樹脂で形成され、概ね直方体の形状をなし、上側が開口になっている。洗剤溶解容器２０の内周面には、洗剤液の撹拌を促進する撹拌突起２３が底から側面にかけて延びるように設けられている。
【００１４】
洗剤溶解容器２０は、底から内方に隆起する円筒状の電動機保持筒２４を有する。この電動機保持筒２４の内側に撹拌電動機２２が縦に置かれる。ネジを含む固定手段で、電動機保持筒２４から脱落しないように撹拌電動機２２は固定される。
【００１５】
電動機保持筒２４は天井２５を有し、撹拌電動機２２の回転軸２６は天井２５を貫いて洗剤溶解容器２０の内側に突出する。
【００１６】
洗剤撹拌翼２１は、電動機保持筒２４の外周を被う撹拌翼円筒部２７および撹拌翼天井部２８を有する。撹拌翼天井部２８の中央には、支持ボス２９が設けられる。支持ボス２９は中心に前記回転軸２６が嵌合される嵌合穴を有する。この嵌合穴に回転軸２６が嵌合することにより、洗剤撹拌翼２１は回転軸２６に支持される。
【００１７】
このように洗剤撹拌翼２１は、撹拌電動機２２の回転軸２６に支持されるので、従来のような複雑な駆動伝達機構が不要なので、高濃度洗剤液生成・供給手段の全体的な大きさがコンパクトになる。高濃度洗剤液生成・供給手段のトップカバーへの配置がし易くなる。また複雑な駆動伝達機構を介さずに撹拌電動機２２の回転軸２６と一緒に洗剤撹拌翼２１は回転するので、駆動伝達機構からの騒音は一掃される。３デシベル程度の騒音低減が得られた。
【００１８】
また、洗剤撹拌翼２１は、撹拌翼円筒部２７の下端側に外周方向に突出する鍔部３０を有する。撹拌翼円筒部２７の外周面および鍔部３０の上面には、撹拌リブ３１が設けられる。この撹拌リブ３１は、洗剤撹拌翼２１の回転に際し、洗剤溶解容器２０の撹拌突起２３と共に洗剤液の撹拌を促進する。
【００１９】
電動機保持筒２４の天井２５は、円形の凹部４０を有する。凹部４０は回転軸２６とほぼ同心的に形成される。シール部材４１は、内周側が回転軸２６に摺接し、外周側が凹部４０に嵌合し、撹拌電動機２２の軸受部４２側とのシールが保たれる。
【００２０】
電動機保持筒２４の外周面と洗剤撹拌翼２１の内周面には、ギャップが存在する。このギャップは、洗剤撹拌翼２１の回転に際し、電動機保持筒２４に洗剤撹拌翼２１が接触しない程度の離間であれば足りる。電動機保持筒２４と洗剤撹拌翼２１が合成樹脂で作られるので、製作寸法精度を考慮して前記ギャップは、１ｍｍ程度にしている。
【００２１】
前記ギャップの空間には、空気が溜まる。この空気はシール部材４１があるので、抜けない。溶解した洗剤溶液がギャップの下方に入っても、溜まる空気は圧縮されるだけで抜けない。このため、洗剤溶液がギャップの下方に入っても、ギャップに溜まる空気に阻まれてギャップの奥の方に進入することができない。また、ギャップは１ｍｍ程度と狭い。ギャップが狭いので、洗剤溶液の進入が抑えられる。このようにして、軸受部４２が洗剤溶液で浸漬されることは防止される。
【００２２】
この洗剤溶液の浸漬防止を更に高めるのには、シール部材４１の上面にグリースを施すのが望ましい。すなわち、凹部４０を深めにすることで、シール部材４１の上側に凹部４０の窪みが残る。この残った窪みに溜めるようにグリースをシール部材４１の上に施す。グリースは、洗剤溶液の浸漬を阻止するので、シール部材４１への洗剤溶液の浸漬防止は更に高められる。
【００２３】
洗剤溶解容器２０は、サイホン機構４３を有する。洗剤溶解容器２０内に立ち上がるように設けられるサイホン機構４３は、図６に示すように内筒４４と外筒４５を有する。内筒４４は洗剤溶解容器２０と一体に形成され、内側の流出孔４６は上下に貫通し、流出孔４６の下側は注水口４７に連通する。外筒４５は内筒４４に被さるように置かれ、外筒４５の下端と洗剤溶解容器２０の底面との間に隙間ができるように設けられる。外筒４５の上端は閉塞している。外筒４５の丈は、内筒４４の丈よりも高い。外筒４５の上端は、内筒４４に上端から大きく離れている。外筒４５の内周と内筒４４の外周との間に流入孔５０ができる。
【００２４】
洗剤溶液は、外筒４５の下端の隙間から流入孔５０に流れ込み、流入孔５０を昇って流出孔４６に流れ込み、流出孔４６を下って注水口４７に流れ出る。洗剤溶液は、内筒４４の上端まで溜まる。洗剤溶液の最高液面位は、内筒４４の上端の高さで定まる。
【００２５】
洗剤溶解容器２０に溜まる洗剤溶液が、最高液面位よりも高くなると、洗剤溶液は内筒４４の上端を越えて流出孔４６を流れ落ち、注水口４７を経て洗濯脱水槽７に落下する。この洗剤溶液の流出は、サイホン作用により行われるので、一旦流出が始まったら洗剤溶解容器２０内の洗剤溶液が空になるまで流出が行われる。
【００２６】
洗剤溶解容器２０には、投入器（図示せず）より粉末洗剤が投入される。投入器は洗剤溶解容器２０の上側に備わる。粉末洗剤を溶かす水道水は、給水電磁弁３を経て流入口４８から流入する。
【００２７】
また給水電磁弁３からは、呼び水ホース４９を介して風呂水吸水ポンプ６に呼び水が供給される。風呂水吸水ポンプ６によって吸い上げられた風呂水は、風呂水流通パイプ６０、注水口４７を経て洗濯脱水槽７に注がれる。
【００２８】
仕上げ剤注入容器６１は、洗剤溶解容器２０に併設される。仕上げ剤注入容器６１への水道水の給水は、補助の給水電磁弁４から行われる。仕上げ剤注入容器６１にもサイホン機構６２が設ける。
【００２９】
洗剤溶解容器２０には、図１に示すようにシャワー６３が備わる。高濃度の洗剤溶液を流出した後、洗剤溶解容器２０に洗剤分が残る。シャワー６３から水道水を噴射して洗剤溶解容器２０内の洗剤分を洗い流す。
【００３０】
さて、洗剤撹拌翼２１の撹拌回転により洗剤溶解容器２０で作られる高濃度の洗剤溶液は、８０〜５００倍の洗剤濃度である。洗濯物が全体に亘り、洗剤液に浸漬されるときの洗剤濃度は、５〜２０倍まで薄められる。この高濃度の洗剤液で漬け置き洗いや、撹拌洗いをした後に、通常の洗剤濃度に薄めて洗濯を行うのである。
【００３１】
洗剤撹拌翼２１を駆動する電動機は、直流電動機で無負荷時の回転が３４５０ＲＰＭ、負荷時の回転数が１４００ＲＰＭである。１４００ＲＰＭの回転数で２〜３分程度撹拌回転をすることにより、粉末洗剤は溶解される。
【００３２】
次に図４、図５を引用して他の実施例について説明する。
【００３３】
この実施例は、洗剤撹拌翼２１の撹拌翼円筒部２７および鍔部３０に撹拌リブを設けないところが先の実施例と違う特徴である。
【００３４】
洗剤液は粘性があり、洗剤撹拌翼２１に撹拌リブを設けなくても粉末洗剤の溶解は行われる。撹拌リブがないので負荷が軽くなり、負荷時の回転数が撹拌リブを有する先の実施例に比べて高くなる。その分、撹拌電動機に温度は低くなる傾向にある。
【００３５】
次に図７を引用して他の実施例について説明する。
【００３６】
この実施例は、電動機保持筒２４の天井２５に円筒の潤滑油溜め６４が設けたところが先の実施例と違う特徴である。この潤滑油溜め６４は、前記凹部４０と同心的に形成され、かつ凹部４０とほぼ同じ内径を有する。
【００３７】
この潤滑油溜め６４により、シール部材４１の上面に十分な量のグリース６５を溜めることができるので、軸受部４２への洗剤溶液の浸漬防止をより確実にすることができる。
【００３８】
次に図８を引用して他の実施例について説明する。
【００３９】
この実施例は、電動機保持筒２４を上方の延ばして天井２５を高濃度の洗剤液の最高液面位よりも高くしたところが先の実施例と違う特徴である。
【００４０】
すなわち、洗剤液の最高液面位は、サイホン機構４３の内筒４４の高さで決まる。電動機保持筒２４の天井２５を内筒４４の上端よりも高くすることにより、洗剤液の最高液面位が天井２５を越えて高くなることは生じない。このため、軸受部４２に洗剤溶液が流れ込むことがないので、シール部材を設けたり、グリースを施したりする必要がなく、構成が簡単で製作性の良い。
【図面の簡単な説明】
【００４１】
【図１】本発明に実施形態に係わる実施例を示すもので、洗濯機のトップカバーの上蓋を外した状態ところを上から見た斜視図。
【図２】本発明に実施形態に係わる実施例を示すもので、高濃度洗剤液生成・供給手段の平面図。
【図３】本発明に実施形態に係わる実施例を示すもので、高濃度洗剤液生成・供給手段の縦断面図。
【図４】本発明に実施形態に係わる他の実施例を示すもので、高濃度洗剤液生成・供給手段の平面図。
【図５】本発明に実施形態に係わる他の実施例を示すもので、高濃度洗剤液生成・供給手段の縦断面図。
【図６】本発明に実施形態に係わる実施例を示すもので、サイホン機構の縦断面図。
【図７】本発明に実施形態に係わる他の実施例を示すもので、高濃度洗剤液生成・供給手段の縦断面図。
【図８】本発明に実施形態に係わる他の実施例を示すもので、高濃度洗剤液生成・供給手段の縦断面図。
【符号の説明】
【００４２】
３…給水電磁弁、７…洗濯脱水槽、２０…洗剤溶解容器、２１…洗剤撹拌翼、２２…撹拌電動機、２４…電動機保持筒、２５…天井、２６…回転軸。
【図１】
2005261714.tif 000003
【図２】
2005261714.tif 000004
【図３】
2005261714.tif 000005
【図４】
2005261714.tif 000006
【図５】
2005261714.tif 000007
【図６】
2005261714.tif 000008
【図７】
2005261714.tif 000009
【図８】
2005261714.tif 000010